(57)【要約】      （修正有）【課題】増改築工事等で骨組み強度に悪影響なく設置できる電動開き戸を提供する。【解決手段】角柱Aの角に位置する基盤Qに支点パイプを旋回自在に固定し、その支点パイプに嵌合された軸パイプ等を介して片開き戸枠組みを取付け、支点パイプと対称位置の角柱Aの角にニードルローラベアリングを配置し、それに嵌め被せる第2パイプに第2縦平角棒Tの一端を固着し、その第2縦平角棒Tと支点パイプに固着する第1平角棒Lとを連動させ第2縦平角棒Tの先端の左右それぞれに紐を取付け、左の紐は間柱Cに隣接固定する外輪溝付きリングCRに架け下げて重しを吊り下げ、右の紐は間柱Bに隣接固定する外輪溝付きリングBRに架け下げて重しを吊り下げし、基盤Q上の電動機が巻き下げる動力紐に付けた重しを吊り上げる事で片開き戸は開いて位置決めスイッチにより停止し、電磁ブレーキ解除スイッチを押す事で左右の重しの重量差により片開き戸を閉める。【選択図】図１
2018145706.tif 000002
【特許請求の範囲】
【請求項１】
角柱と直角に位置する間柱Bと間柱Cとの間それぞれに2本ずつの支え柱を直立固定し、それら支え柱の上端面に基盤を固定し、方開き戸枠組の旋回縦辺を挟み留めるU字状チャンネル材内の下部分に槍パイプを固着し、その槍先部分を受け支える受け部分に固着させた短尺アングルを角柱に固定し、U字状チャンネル材内の上部分に軸パイプを固着し、その軸パイプ内に入れてネジ固定する支点パイプを天井板上に差し上げしその上端に固着する第1部品は基盤に付けたベアリングに固定し、その第1部品に第1平角棒の一端を固着し、その第1部品と基盤上に固着する直立棒とを角柱の角と角とに配置し、その直立棒にニードルローラベアリング2個を重ね嵌めし、それらニードルローラベアリングの外径に嵌める第2パイプに第2縦平角棒の一端を固着し、第2縦平角棒の中程には水平平角棒の一端を固着し、その水平平角棒の先端部と第1平角棒の先端部とを連結平角棒で連結させて片開き戸と第2縦平角棒とを連動させ、その第2平角棒の先端に取り付けた紐を右方向と左方向とに分け左方向の紐は間柱C近くの外輪溝付きリングに架け下げて重しCGを吊り下げし、右方向の紐は間柱B近くの外輪溝付きリングに架け下げて重しBGを吊り下げし、この重しBGを重しCGよりWｋｇ重くし、さらに基盤上の電磁ブレーキ付きギヤモータの出力軸に付けた回転ドラムに巻く動力紐を付けた重しBGを巻き上げる事で重しCGの重さの力は第2縦平角棒の先端を外輪溝付きリング上のZ位置近くに移動させ、そのZ位置で重しBGが位置決めスイッチに当る事で電磁ブレーキ付きギヤモータと第2縦平角棒の先端とが停止し電動片開き戸も開いて停止し、その状態で電磁ブレーキ解除スイッチを押す事で重しBGは落下し重量差Wｋｇの力が第2縦平角棒の先端を間柱Bの方向に移動させ重しBGと重しCGとの引き合う力が同等になるSの位置より手前のSTの位置で第2平角棒はスポンジストッパーに当り片開き戸は戸当りに当って閉まるようにした電動片開き戸。
【発明の詳細な説明】
【技術分野】
【０００１】
介護施設又は在宅介護用の電動片開き戸。
【背景技術】
【０００２】
介護者が不在な時でも被介護者は排便行為が可能にｍなり自宅内の移動も容易になる。
【先行技術文献】
【特許文献】
【０００３】
【特許文献１】特許第6085052
【発明の概要】
【発明が解決しようとする課題】
【０００４】
増改築等で骨組みを損傷せずに取り付けできる電動片開き戸が強く希望された。
【課題を解決するための手段】
【０００５】
上記目的を達成するために本発明に係る電動片開き戸を説明する、便所入口の角柱と直角に位置する間柱Bと間柱Cとの間それぞれに支え柱を２本ずつ直立固定し、それら4本の支え柱の上端面に基盤を固定した。
【０００６】
片開き戸枠組み吊り元の軸パイプを挟み固定するU字状チャンネル材内の下部分に槍パイプを固着し、その槍パイプの槍先部分を受け支える受け部分を付けた短尺アングルを角柱に固定し、さらにU字状チャンネル材内の上部分に固着する軸パイプ内に差し入れてネジ固定する支点パイプを天井板上に差し上げ、その支点パイプ内の上端に固着させた第1部品を基盤に固定するベアリングの内径内に保持し、その第1部品に第1平角棒の一端を水平に固着した。
【０００７】
基盤に固着する直立棒と第1部品とは角柱の角と角との対称位置にし、その直立棒の外径にニードルローラベアリング2個を重ね嵌めし、それらニードルローラベアリングの外径には第2パイプを嵌め被せ、その第2パイプに第2縦平角棒の一端を固着し、その第2縦平角棒の中程には水平平角棒の一端を固着し、この水平平角棒の先端部と第1平角棒の先端部とを連結平角棒で連結させて第2縦平角棒の先端が左右に旋回移動する事で連結し連動する片開き戸を開閉させた。
【０００８】
第2縦平角棒の先端に取り付けた紐を左方向と右方向とに別け、左方向の紐HCは間柱Cに隣接配置する外輪溝付きリングCRに架け下げて重しCGを吊り下げし、右方向の紐HBは間柱Bに隣接配置する外輪溝付きリングBRに架け下げて重しBGを吊り下げし、この重しBGを重しCGよりWｋｇ重くし、その重量差Wｋｇの力で第２平角棒の先端が間柱Bの方向に寄せられてSTの位置で片開き戸は閉まる。
【０００９】
基盤上に固定する電磁ブレーキ付きギヤモータの出力軸に付けた回転ドラムに巻く動力紐を重しBGに取り付けし、その動力紐を巻き上げる事で重しCGの重さの力が第2縦平角棒の先端を外輪溝付きリングCR上のZ位置近くに移動させ、そのZ位置で重しBGは位置決めスイッチに当って電磁ブレーキ付きギヤモータと第2縦平角棒の先端とが停止し電動片開き戸は開いて停止する。
【００１０】
巻き上げて停止状態の重しBGは電磁ブレーキ解除スイッチを押す事で落下し、重量差Wｋｇの力は第2縦平角棒の先端を間柱Bの方向に移動させ重しCGと重しBGとが水平に引き合う力が同等になるS位置より手前のST位置で第2縦平角棒はスポンジストッパーに当り開き戸は戸当りに当って片開き戸が閉まるようにした電動片開き戸。
【発明の効果】
【００１１】
介護者と家族とが不在な時でも被介護者が廊下のスイッチで便所の片開き戸を開いた状態で停止させ、そこで身体移動機で体を廊下から便器に移動させて着座し、さらに便所内の電磁ブレーキ解除スイッチを押して閉める事ができる電動片開き戸を増改築工事で骨組みを損傷せずに取り付けを可能にした。
【図面の簡単な説明】
【００１２】
【図１】電動片開き戸を閉めた状態の平面図。
【図２】電動片開き戸を開けた状態の平面図。
【図３】第2縦平角棒と第1平角棒と連結平角棒との斜視図で一部は断面図。
【図４】重しCGと重しBGとのバランス操作で移動する第2縦平角棒と電動紐との配置図。
【図５】第1平角棒と支点パイプと軸パイプとU字状チャンネル材と片開き戸との断面図。
【発明を実施するための形態】
【００１３】
本発明の一実施形態に係る電動片開き戸を説明する、便所入口の角柱Aと直角位置の間柱Bとの間に支え柱AMとBMとを直立固定し、その角柱Aと直角位置の間柱Cとの間に支え柱AMとCMとを直立固定し、それら4本の支え柱の上端面に基盤Qを載せて木ネジで固定した。
【００１４】
片開き戸Vの枠組み吊り元の軸パイプJを挟み固着するU字状チャンネル材U内の下部分に槍パイプYを固着し、その槍パイプY内に固着させた槍先部分YSを受け支える受け部分YUを付けた短尺アングルYTを床面に置いた状態で角柱Aに木ネジで固定し、さらにU字状チャンネル材U内の上部分に固着する軸パイプJ内に差し入れてネジ固定する支点パイプJPを天井板上に差し上げし、その支点パイプJPの上端に固着する第1部品JHを基盤Qに固定するベアリングQBの内径内に固定し、その第1部品JHに第1平角棒Lの一端を水平に固着した。
【００１５】
基盤Qに固着する直立棒Fと第1部品JHとを角柱Aの角と角との対称に配置し、その直立棒Fの外径にニードルベアリングN2個を重ね嵌めし、それらニードルベアリングNの外径に第2パイプNPを嵌め被せ、その第2パイプNPに第2縦平角棒Tの一端を固着し、その第2縦平角棒Tの中程に水平平角棒SHの一端を水平に固着し、この水平平角棒SHの先端部と第1平角棒Lの先端部とを連結平角棒Rで連結させて連動可能にし、その第2縦平角棒Tの先端が左右に旋回移動する事で連結し連動する片開き戸Vを開閉させた。
【００１６】
第2縦平角棒Tの先端に取り付けた紐を左方向と右方向とに別け、左方向の紐HCは間柱Cに隣接配置する外輪溝付きリングCRに架け下げて重しCGを吊り下げし、右方向の紐HBは間柱Bに隣接配置する外輪溝付きリングBRに架け下げて重しBGを吊り下げし、この重しBGを重しCGよりWｋｇ重くし、その重量差Wｋｇの重さの力で第2平角棒の先端を外輪溝突きリングBR近くのSTの位置で片開き戸Vが閉まるようにした。
【００１７】
基盤Q上に固定する電磁ブレーキ付きギヤモータMの出力軸MJに付けた回転ドラムDに巻き下げる動力紐MHに重しBGを取り付けし、その動力紐MHを巻き上げる事で第2縦平角棒Tの先端は外輪溝付きリングCR上のZ位置近くに移動し、そのZ位置で重しBGが位置決めスイッチＸに当たる事で電磁ブレーキ付き小型ギヤモータMと第2縦平角棒Tの先端とは停止し電動片開き戸は開いた状態で停止した。
【００１８】
巻き上げて停止状態の重しBGは電磁ブレーキ解除スイッチを押す事で落下し、重量差Wｋｇの力は第2縦平角棒Tの先端を間柱Bの方向に水平移動させ、重しCGと重しBGとが引き合う力が同等になるS位置より手前のST位置で第2縦平角棒TはスポンジストッパーEに当り片開き戸は戸当りETに当って閉まるようにした電動片開き戸。
【符号の説明】
【００１９】
A        角柱
AA      便所の入口の柱
B        間柱
C        間柱
AM      角柱と間柱B又は間柱Cとの間に直立固定する支え柱
BM      角柱と間柱Bとの間に直立固定する支え柱
CM      角柱と間柱Cとの間に直立固定する支え柱
VP      硬質発泡板
VM      面板（メラミン化粧板）（プリント板）
V        方開き戸アルミ枠
PY      床板
PT      天井板
P        石膏板又は合板
U        U字状チャンネル材
Y        槍パイプ
YS      槍先部分
J        軸パイプ
JP      支点パイプ
JK      補強管
Q        基盤
M        電磁ブレーキ付きギヤモータ
MJ      出力軸
D        回転ドラム
MH      動力紐
JH      第1部品
L        第1平角棒
QB      基盤に固定するベアリング
F        直立棒
N        ニードルローラベアリング
NP      第2パイプ
T        第2縦平角棒
SH      水平平角棒
R        連結平角棒
HC      第2縦平角棒の先端の左側に取り付けた紐
HB      第2縦平角棒の先端の右側に取り付けた紐
CR      間柱Cの近くで基盤に固着させた外輪枠内の外輪溝付きリング
BR      間柱Bの近くで基盤に固着させた外輪枠内の外輪溝付きリング
BG      間柱Bの側面近くに吊り下がる重し
CG      間柱Cの側面近くに吊り下がる重し
KG      重しBGと重しCGとに載せ重ねる小重し
W        重しBGと重しCGとの重量差
Z        重しCGが第2縦平角棒を左へ引き寄せる力がゼロになる位置であり位置決めスイッチに重しBGが当る位置
S        第2縦平角棒の先端を左方向と右方向とに引き合う重しCGと重しBGとの力が同等になる位置
ST      重しCGと重しBGとの重さの力が同等になる少し手前の位置で第2平角棒がスポンジストッパーに当り片開き戸が戸当りに当る位置
X        位置決めスイッチ
【図１】
2018145706.tif 000003
【図２】
2018145706.tif 000004
【図３】
2018145706.tif 000005
【図４】
2018145706.tif 000006
【図５】
2018145706.tif 000007
【手続補正書】
【提出日】平成29年5月2日(2017.5.2)
【手続補正１】
【補正対象書類名】明細書
【補正対象項目名】全文
【補正方法】変更
【補正の内容】
【発明の詳細な説明】
【技術分野】
【０００１】
介護施設又は在宅介護用の電動片開き戸。
【背景技術】
【０００２】
介護者が不在な場合は特に被介護者は排便で不快な思いをする。
【先行技術文献】
【特許文献】
【０００３】
【特許文献１】特許第6085052
【発明の概要】
【発明が解決しようとする課題】
【０００４】
増改築等で骨組みを損傷せずに取り付けできる電動片開き戸が強く希望された。
【課題を解決するための手段】
【０００５】
上記目的を達成するために本発明に係る電動片開き戸を説明する、便所入口の角柱と直角に位置する間柱Bと間柱Cとの間それぞれに支え柱を２本ずつ直立固定し、それら4本の支え柱の上端面に基盤を固定した。
【０００６】
片開き戸枠組み吊り元の軸パイプを挟み固定するU字状チャンネル材内の下部分に槍パイプを固着し、その槍パイプの槍先部分を受け支える受け部品を付けた短尺アングルを角柱に固定し、さらにU字状チャンネル材内の上部分に固着する軸パイプ内に差し入れてネジ固定する支点パイプを天井板上に差し上げ、その支点パイプ内の上端に固着させた第1部品を基盤に固定するベアリングの内径内に保持し、その第1部品に第1平角棒の一端を水平に固着した。
【０００７】
基盤に固着する直立棒と第1部品とは角柱の角と角との対称位置にし、その直立棒の外径にニードルローラベアリング2個を重ね嵌めし、それらニードルローラベアリングの外径には第2パイプを嵌め被せ、その第2パイプに第2縦平角棒の一端を固着し、その第2縦平角棒の中程には水平平角棒の一端を固着し、この水平平角棒の先端部と第1平角棒の先端部とを連結平角棒で連結させて第2縦平角棒の先端が左右に旋回移動する事で連結し連動する片開き戸を開閉させた。
【０００８】
第2縦平角棒の先端に取り付けた紐を左方向と右方向とに別け、左方向の紐HCは間柱Cに隣接配置する外輪溝付きリングCRに架け下げて重しCGを吊り下げし、右方向の紐HBは間柱Bに隣接配置する外輪溝付きリングBRに架け下げて重しBGを吊り下げし、この重しBGを重しCGよりWｋｇ重くし、その重量差Wｋｇの力で第２平角棒の先端が間柱Bの方向に寄せられてSTの位置で片開き戸は閉まる。
【０００９】
基盤上に固定する電磁ブレーキ付きギヤモータの出力軸に付けた回転ドラムに巻く動力紐を重しBGに取り付けし、その動力紐を巻き上げる事で重しCGの重さの力が第2縦平角棒の先端を外輪溝付きリングCR上のZ位置近くに移動させ、そのZ位置で重しBGは位置決めスイッチに当って電磁ブレーキ付きギヤモータと第2縦平角棒の先端とが停止し電動片開き戸は開いて停止する。
【００１０】
巻き上げて停止状態の重しBGは電磁ブレーキ解除スイッチを押す事で落下し、重量差Wｋｇの力は第2縦平角棒の先端を間柱Bの方向に移動し、その移動する力が弱くなるS位置より手前のST位置で第2縦平角棒はスポンジストッパーに当り片開き戸は戸当りに当って閉まるようにした電動片開き戸。
【発明の効果】
【００１１】
介護者と家族とが不在な時でも被介護者が廊下のスイッチで便所の片開き戸を開いた状態で停止させ、そこで身体移動機で体を廊下から便器に移動させて着座し、さらに便所内の電磁ブレーキ解除スイッチを押して閉める事ができる電動片開き戸を増改築工事で骨組みを損傷せずに取り付けできるようにした。
【図面の簡単な説明】
【００１２】
【図１】電動片開き戸を閉めた状態の平面図。
【図２】電動片開き戸を開けた状態の平面図。
【図３】第2縦平角棒と第1平角棒と連結平角棒との斜視図で一部は断面図。
【図４】重しCGと重しBGとのバランス操作で移動する第2縦平角棒と電動紐との配置図。
【図５】第1平角棒と支点パイプと軸パイプとU字状チャンネル材と片開き戸との断面図。
【発明を実施するための形態】
【００１３】
本発明の一実施形態に係る電動片開き戸を説明する、便所入口の角柱Aと直角位置の間柱Bとの間に支え柱AMとBMとを直立固定し、その角柱Aと直角位置の間柱Cとの間にも支え柱AMとCMとを直立固定し、それら4本の支え柱の上端面に基盤Qを載せて木ネジで固定した。
【００１４】
片開き戸Vの枠組み吊り元の軸パイプJを包み挟み固着するU字状チャンネル材U内の下部分に槍パイプYを固着し、その槍パイプY内に固着させた槍先部分YSを受け支える受け部品YUを固着させた短尺アングルYTを床面に置いた状態で角柱Aに木ネジで固定し、さらにU字状チャンネル材U内の上部分に固着する軸パイプJ内に差し入れてネジ固定する支点パイプJPを天井板上に差し上げし、その支点パイプJPの上端に固着する第1部品JHを基盤Qに固定するベアリングQBの内径内に保持し、その第1部品JHに第1平角棒Lの一端を水平に固着した。
【００１５】
基盤Qに固着する直立棒Fと第1部品JHとを角柱Aの角と角との対称に配置し、その直立棒Fの外径にニードルベアリングN2個を重ね嵌めし、それらニードルベアリングNの外径に第2パイプNPを嵌め被せ、その第2パイプNPに第2縦平角棒Tの一端を固着し、その第2縦平角棒Tの中程に水平平角棒SHの一端を水平に固着し、この水平平角棒SHの先端部と第1平角棒Lの先端部とを連結平角棒Rで連結させて連動可能にし、その直立棒Fを支点に第2縦平角棒Tの先端が左右に旋回移動する事で連結し連動する片開き戸Vを開閉できるようにした。
【００１６】
第2縦平角棒Tの先端に取り付けた紐を左方向と右方向とに別け、左方向の紐HCは間柱Cに隣接配置する外輪溝付きリングCRに架け下げて重しCGを吊り下げし、右方向の紐HBは間柱Bに隣接配置する外輪溝付きリングBRに架け下げて重しBGを吊り下げし、この重しBGを重しCGよりWｋｇ重くし、その重量差Wｋｇの重さの力で第2縦平角棒Tの先端を間柱Bの方向に引き寄せ外輪溝突きリングBR上のSTの位置で第2縦平角棒TがスポンジストッパーEに当り片開き戸Vが戸当りETに当たるようにした。
【００１７】
基盤Q上に固定する電磁ブレーキ付きギヤモータMの出力軸MJに付けた回転ドラムDで巻き下げる動力紐MHを重しBGに取り付けし、その動力紐MHを巻き上げる事で第2縦平角棒Tの先端は間柱Cの方向に移動し、その第2縦平角棒Tの先端が外輪溝付きリングCR上のZ位置近くで重しBGが位置決めスイッチＸに当たり、当る事で電磁ブレーキ付き小型ギヤモータMと第2縦平角棒Tの先端とは停止し電動片開き戸は開いた状態で停止した。
【００１８】
巻き上げられて停止状態の重しBGは電磁ブレーキ解除スイッチを押す事で落下し、重しBGが落下する事で重量差Wｋｇの力は第2縦平角棒Tの先端を間柱Bの方向に水平移動し、第2縦平角棒Tの先端がS位置より手前のST位置で第2縦平角棒TはスポンジストッパーEに当り片開き戸は戸当りETに当って閉まるようにした電動片開き戸。
【符号の説明】
【００１９】
A        角柱
AA      便所の入口の柱
B        間柱
C        間柱
AM      角柱と間柱B又は間柱Cとの間に直立固定する支え柱
BM      角柱と間柱Bとの間に直立固定する支え柱
CM      角柱と間柱Cとの間に直立固定する支え柱
VP      硬質発泡板
VM      面板（メラミン化粧板）（プリント板）
V        方開き戸アルミ枠
PY      床板
PT      天井板
P        石膏板又は合板
U        U字状チャンネル材
Y        槍パイプ
YS      槍先部分
YU      受け部品
J        軸パイプ
JP      支点パイプ
JK      補強管
Q        基盤
M        電磁ブレーキ付きギヤモータ
MJ      出力軸
D        回転ドラム
MH      動力紐
JH      第1部品
L        第1平角棒
QB      基盤に固定するベアリング
F        直立棒
N        ニードルローラベアリング
NP      第2パイプ
T        第2縦平角棒
SH      水平平角棒
R        連結平角棒
HC      第2縦平角棒の先端の左側に取り付けた紐
HB      第2縦平角棒の先端の右側に取り付けた紐
CR      間柱Cの近くで基盤に固定させた外輪枠内の外輪溝付きリング
BR      間柱Bの近くで基盤に固定させた外輪枠内の外輪溝付きリング
BG      間柱Bの側面近くに吊り下がる重し
CG      間柱Cの側面近くに吊り下がる重し
KG      重しBGと重しCGとに載せ重ねる小重し
W        重しBGと重しCGとの重量差
Z        重しCGの重さの力で第2縦平角棒を間柱Cの方向へ引き寄せる力がゼロ近くになる位置
S        重しBGの重さの力で第2縦平角棒の先端を間柱Bの方向に引き寄せる力が弱くなる位置
ST      第2平角棒がスポンジストッパーEに当り片開き戸が戸当りに当る位置
E        スポンジストッパー
ET      戸当り
X        位置決めスイッチ
【手続補正２】
【補正対象書類名】特許請求の範囲
【補正対象項目名】全文
【補正方法】変更
【補正の内容】
【特許請求の範囲】
【請求項１】
角柱と直角に位置する間柱Bと間柱Cとの間それぞれに2本ずつの支え柱を直立固定し、それら支え柱の上端面に基盤を固定し、片開き戸枠組の旋回縦辺を挟み留めるU字状チャンネル材内の下部分に槍パイプを固着し、その槍先部分を受け支える受け部品を固着させた短尺アングルを角柱に固定し、U字状チャンネル材内の上部分に軸パイプを固着し、その軸パイプ内に入れてネジ固定する支点パイプを天井板上に差し上げしその上端に固着する第1部品は基盤に付けたベアリングに固定し、その第1部品に第1平角棒の一端を固着し、その第1部品と基盤上に固着する直立棒とを角柱の角と角との対称位置にし、その直立棒にニードルローラベアリング2個を重ね嵌めし、ニードルローラベアリングの外径に嵌める第2パイプに第2縦平角棒の一端を固着し、第2縦平角棒の中程には水平平角棒の一端を固着し、その水平平角棒の先端部と第1平角棒の先端部とを連結平角棒で連結させて片開き戸と第2縦平角棒とを連動させ、その第2平角棒の先端に取り付けた紐を右方向と左方向とに分け左方向の紐は間柱C近くの外輪溝付きリングに架け下げて重しCGを吊り下げし、右方向の紐は間柱B近くの外輪溝付きリングに架け下げて重しBGを吊り下げし、この重しBGを重しCGよりWｋｇ重くし、さらに基盤上の電磁ブレーキ付きギヤモータの出力軸に付けた回転ドラムに巻く動力紐を付けた重しBGを巻き上げる事で重しCGの重さの力は第2縦平角棒の先端を外輪溝付きリング上のZ位置近くに移動させ、そのZ位置近くで重しBGが位置決めスイッチに当る事で電磁ブレーキ付きギヤモータと第2縦平角棒の先端とが停止し電動片開き戸も開いて停止し、その状態で電磁ブレーキ解除スイッチを押す事で重しBGは落下し重量差Wｋｇの力が第2縦平角棒の先端を間柱Bの方向に移動させ重しBGの重さの力が間柱Bの方向に引き寄せる力が弱まるSの位置より手前のSTの位置で第2縦平角棒はスポンジストッパーに当り片開き戸は戸当りに当って閉まるようにした電動片開き戸。